(57)【特許請求の範囲】
【請求項１】
底面と、この底面から起立する側面とを有する設置場所に対し着脱自在に仮固定される仮設給水器具であり、給水管に接続されるべき水栓と、この水栓を支持する支持部とを有し、
前記支持部は、支持部の基端に設けられ前記設置場所の底面に対し着脱自在に接着する第一の接着部材と、支持部の側端に設けられ前記設置場所の側面に対し着脱自在に接着する第二の接着部材とを有することを特徴とする仮設給水器具。
【請求項２】
前記水栓は、接続用管継手を介して前記給水管と接続され、前記接続用管継手は、外周面に係止部が設けられた凸管部を有する第一継手と、前記凸管部が嵌合し前記係止部に係止する進退自在な爪が周面に設けられた凹管部を有する第二継手と、筒状に形成され前記第二継手の外周面上を軸方向に沿って摺動自在に設けられ、摺動によって前記爪の背面に内周面が当接、離間するスライドリングとを有し、
前記凸管部と前記凹管部の嵌合により前記係止部に前記爪が係止して前記第一継手と前記第二継手の接続をロックし、前記スライドリングの摺動により前記爪が前記係止部から離間自在となり前記第一継手と前記第二継手の接続ロックを解除する管継手であることを特徴とする請求項１記載の仮設給水器具。
【請求項３】
前記第一及び第二の接着部材は、フランジ部と、このフランジ部の表面に貼り付けられ前記底面または側面に接するシート状の弾性部材とを有し、弾性部材がその中央部に向けて窪んでいる吸盤であることを特徴とする請求項１記載の仮設給水器具。
【請求項４】
前記第一及び第二の接着部材が磁石であることを特徴とする請求項１記載の仮設給水器具。
【発明の詳細な説明】
【０００１】
【発明の属する技術分野】
本発明は仮設給水器具に関し、特に、マンション等の建築物における給水設備の更生工事時に用いられる仮設給水器具に関する。
【０００２】
【従来の技術】
現在、築後１５年から２０年経過したマンションでは、給水管内部に腐食による錆瘤が発生し水量不足や水質悪化等の問題が生じるため、給水管の内面にエポキシ樹脂塗料を塗装する管更生工事が多数行われている。この更生工事は給水管の内面を研磨して塗装するため、室内給水管の更生工事の作業期間中では、２日から３日程度、室内給水設備が使えなくなる。
【０００３】
この間、居住者に生活水を供給するための手段として、仮設給水器具が用いられる。この仮設給水器具は、例えば、長さ５〜１０ｍ、直径１３ｍｍの樹脂製ホースの先端に水栓を一個接続し、給水可能な量水器の出口と前記樹脂製ホースを接続し、居住室入り口ドアの郵便受け等からホースと水栓を室内に引き込むものである。居住者はこの水栓を台所や洗面所等、必要箇所に持ち回って使用する。
【０００４】
【発明が解決しようとする課題】
前述した従来の仮設給水器具は、その構造及び使用方法等から、以下に示す問題点を有してる。
まず、従来の仮設給水器具はホースの先端に水栓を取り付けただけであるので、水栓の開閉の際、片手で水栓を固定し、もう一方の手で水栓のハンドルを回して開閉する必要がある。しかし、台所で使用する場合等、水栓の開閉に両手を使わずに片手で水栓を開閉したい場合が多い。
【０００５】
また、水栓は通常台所の流しに置いておく場合が多いが、水栓につながったホースに居住者が足を引っ掛けて水栓を床に落とし、床を傷つけたり、または居住者の足に水栓を落として怪我をする場合もある。
【０００６】
また、水栓には約１０ｍのホースがつながっており、水栓とホースの接続を従来は締め付けバンド等で締め付けてつないでいるが、水栓を移動して使用しているうちにホースがよじれて床から浮き上がり、居住者がホースに足を引っ掛けやすいという問題がある。
【０００７】
また、仮設給水器具は、郵便受けを通して室内に引き込むことが多いが、水栓は郵便受けを通らないことが多く、室内に引き込む際に水栓とホースとを外す必要がある。しかし、ホースはねじ込み継手を介して水栓と接続しており、着脱に時間がかかるという問題もある。
【０００８】
本発明は、片手で容易に水栓を開閉でき、かつ水栓を所定の位置に容易に仮固定できる仮設給水器具を提供することを第一の課題とする。
また本発明は、ホースのよじれが生じにくく、かつ容易に設置できる仮設給水器具を提供することを第二の課題とする。
【０００９】
【課題を解決するための手段】
本発明は、少なくとも前記第一の課題を解決するための手段として、以下のような構成とされている。
すなわち本発明は、底面と、この底面から起立する側面とを有する設置場所に対し着脱自在に仮固定される仮設給水器具であり、給水管に接続されるべき水栓と、この水栓を支持する支持部とを有し、支持部は、支持部の基端に設けられ設置場所の底面に対し着脱自在に接着する第一の接着部材と、支持部の側端に設けられ設置場所の側面に対し着脱自在に接着する第二の接着部材とを有することを特徴とする仮設給水器具である。
【００１０】
前記構成によれば、二方向への着脱自在な接着によって水栓が支持、固定されることから、底面とこの底面から起立する側面を有する設置場所への設置であれば、水栓を所定の位置に容易に仮固定することができ、かつ片手で容易に水栓を開閉することが可能となる。
【００１１】
また、本発明の仮設給水器具は、水栓が接続用管継手を介して給水管と接続され、接続用管継手は、外周面に係止部が設けられた凸管部を有する第一継手と、凸管部が嵌合し係止部に係止する進退自在な爪が周面に設けられた凹管部を有する第二継手と、筒状に形成され第二継手の外周面上を軸方向に沿って摺動自在に設けられ、摺動によって爪の背面に内周面が当接、離間するスライドリングとを有し、凸管部と凹管部の嵌合により係止部に爪が係止して第一継手と第二継手の接続をロックし、スライドリングの摺動により爪が係止部から離間自在となり第一継手と第二継手の接続ロックを解除する管継手であることが好ましい。
【００１２】
前記構成によれば、合体、分離可能な接続用管継手によって水栓と給水管が接続されることから、水栓と給水管の着脱が容易となり、給水管を外してから水栓を移動することが容易となる。従って、給水管のよじれが生じにくく、また仮設給水器具を迅速かつ容易に設置することが可能となる。
【００１３】
また、本発明の仮設給水器具は、第一及び第二の接着部材が、フランジ部と、このフランジ部の表面に貼り付けられ前記底面または側面に接するシート状の弾性部材とを有し、弾性部材がその中央部に向けて窪んでいる吸盤や磁石であると、仮設給水器具の着脱をより容易にする上で好ましい。
【００１４】
本発明の仮設給水器具の設置場所は、底面とこの底面から起立する側面とを有する設置場所であれば特に限定されない。このような設置場所としては、例えば、台所流し、洗面器等の衛生設備等を例示することができる。また、衛生設備の背面に起立する壁面を前記側面として利用することも可能である。
【００１５】
本発明で用いられる水栓は、水栓本体を含み支持部に支持される部分をいい、水栓本体や、この水栓本体に接続される管継手等も含む。水栓本体は単水栓であることが好ましく、横水栓であることがより好ましい。また、管継手等は、給水管と水栓本体とを通水可能に接続するだけでなく、水栓と支持部とを連結するための手段として利用しても良い。
【００１６】
本発明で用いられる支持部は、設置場所の底面に対し着脱自在に接着する第一の接着部材と、設置場所の側面に対し着脱自在に接着する第二の接着手段とを基端及び側端に有するものであれば、その材質や形状等は特に限定されない。支持部は、例えば第一及び第二の接着部材から水栓までの支持部分を、二重構造の伸縮管等を用いた伸縮自在な構成にしても良いし、変形自在かつ変形した際の形状を保持可能な金属等で構成され、または前記金属を樹脂等で被覆して構成された自在アーム等を用いて、水栓の支持位置を自在に調整できる構成にしても良い。
【００１７】
本発明で用いられる第一及び第二の接着部材は、設置場所の底面または側面に対して着脱自在に接着する部材であれば特に限定されない。また第一及び第二の接着部材は同じものである必要はなく、接着すべき底面または側面の物性や状態等に応じて適切なものが選ばれる。接着部材としては、例えば、水に濡れるなどの所定の条件下で接着力を発現する接着剤を塗布した部材や、吸盤、及び磁石等を例示することができる。
【００１８】
接着部材として用いられる吸盤は、設置場所に平滑な面があればその材質を問わないことから接着部材として好適に用いることができる。この吸盤は、例えば、フランジ部と、このフランジ部の表面に貼り付けられ、設置場所の底面または側面に接するシート状の弾性部材とを有し、弾性部材がその中央部に向けて窪んでいるものを好ましい形態として例示することができる。前記フランジ部は形状が保たれる程度に硬質であれば良く、また前記弾性部材は、気密性を有し、吸盤を設置面に向けて押圧したときに中央の窪み部分の表面も設置面に密着する程度の弾性を有するものであれば良い。
【００１９】
接着部材として用いられる磁石は、設置場所の材質が磁性を有するものであればその表面状態を問わないことから接着部材として好適に用いることができる。
この磁石は、例えば円板状の磁石等を例示することができる。設置場所の材質が非磁性を示す場合は、例えば板状磁性部材を設置場所に貼り付けても良い。
【００２０】
本発明に用いられる給水管は、変形自在な給水管であれば特に限定されないが、樹脂製ホースであることが好ましく、耐圧ホースであることがより好ましい。
これらのホースには市販品を用いることができる。
【００２１】
本発明で用いられる接続用管継手は、前記管継手等またはホース等の給水路を合体、分離により着脱自在に接続する管継手であることが好ましい。このような接続用管継手としては、例えば、一方のホースに接続され外周面にねじが設けられている第一継手と、他方のホースに接続される第二継手と、第二継手の外周面に回動自在に設けられ内周面に前記ねじに螺合するねじが設けられた円筒状のリングとを有するねじ込み式の接続用管継手や、前述したスライド式の接続用管継手等を例示することができる。特にスライド式の接続用管継手は、合体及び分離がより容易であることから好ましい。これらの接続用管継手には市販品を用いることができる。
【００２２】
また、本発明の仮設給水器具は、三方弁等の分岐用管継手を介して給水管同士を接続する構成とすると、二以上の仮設給水器具の設置が可能となる。このような分岐用管継手としては、例えば、二股に分岐する前記第二継手を有し、この第二継手の分岐部にボールコック等の弁を備えたスライド式の三方弁等を例示することができる。
【００２３】
【発明の実施の形態】
以下、本発明の一実施の形態を図面に基づき説明する。なお、以下の実施の形態では設置場所をマンションの居住室における台所流しとして説明する。
【００２４】
本実施の形態の仮設給水器具は、ステンレス製の台所流しに設置されている。
この台所流しは、シンクと、シンク上縁から外方に広がる平面であるシンク縁部と、シンク縁部から起立する水切り板とを有する。
【００２５】
本実施の形態の仮設給水器具は、図１に示されるように、給水管であるホース３と接続されるべき水栓１と、この水栓１を支持する支持部２とを有している。
水栓１とホース３とは、接続用管継手４によって接続されている。
【００２６】
水栓１において、水栓本体である横水栓１ａにＴ字管継手１ｂが接続されている。Ｔ字管継手１ｂにおいて横水栓１ａに対向する継手部分には、ホースジョイント用のねじ込み継手１ｃが接続されており、このねじ込み継手１ｃにはゴム管１ｄが接続され、このゴム管１ｄは、ゴム管１ｄの半径方向に引き締める部材を有するホースクランプ１ｅによって固定されている。
【００２７】
Ｔ字管継手１ｂの残りの継手部分には、一端側にＴ字管継手１ｂに螺合するねじが形成され多端側が六角錘形状に形成された挿入部材２ａが水密に接続されている。挿入部材２ａは、六角形状の挿入孔を有する接続パイプ２ｂに挿入され、接続パイプ２ｂには支持パイプ２ｃが接続されている。支持パイプ２ｃにはＴ字パイプ２ｄが接続され、Ｔ字パイプ２ｄのそれぞれの端部（支持部２の基端及び側端）には接着部材である吸盤５が設けられている。なお、支持パイプ２ｃは、前述したような伸縮自在な二重管や自在アーム等に置き換えても良い。
【００２８】
吸盤５は、図１及び図２に示されるように、円板状に形成されたプラスチック製のフランジ部５ａと、このフランジ部５ａの表面に貼り付けられた弾性部材であるゴムシート５ｂとを有する。ゴムシート５ｂは、その中央部が窪む形状に形成されている。なお、フランジ部５ａの表面の中央部が窪む形状にフランジ部５ａを成形し、このフランジ部５ａの表面に、厚さの均一なゴムシート５ｂを貼り付けても良い。
【００２９】
吸盤５をそれぞれシンク上縁及び水切り板に向けて押圧すると、前記窪み内の空気が抜け、吸盤５がシンク上縁及び水切り板に吸着し、支持部２が固定され水栓１が所定の位置に支持され仮設給水器具が所定の設置場所に仮固定される。ゴムシート５ｂの端を接着面からめくると吸盤５が容易にはがれ、仮設給水器具を移動させることが可能となる。
【００３０】
ホース３と水栓１（ゴム管１ｄ）とを接続する接続用管継手４は、図３から図５に示されるように、外周面に係止部である突条１４ｂが周設された凸管部１４ａを有する第一継手１４と、凸管部１４ａが嵌合し突条１４ｂに係止する進退自在な爪２４ｂが設けられた凹管部２４ａを有する第二継手２４と、筒状に形成され第二継手２４の外周面上を軸方向に沿って摺動自在に設けられたスライドリング３４とを有している。
【００３１】
第一継手１４には凸管部１４ａの反対側にニップル部１４ｃが形成されており、ニップル部１４ｃよりも外側にはねじが形成されている。ニップル部１４ｃにはゴム管１ｄを外嵌させ、ゴム管１ｄには袋ナット１４ｅ及びつめ付きリング１４ｄを通し、袋ナット１４ｅを第一継手１４に螺合させ、つめ付きリング１４ｄをニップル部１４ｃに向けて締め付けることによりゴム管１ｄと第一継手１４が接続される。なお、凸管部１４ａの先端部にはシール性を高めるためのОリングが設けられている。
【００３２】
第二継手２４にも凹管部２４ａの反対側にニップル部２４ｃが形成されており、ニップル部２４ｃよりも外側にはねじが形成されている。ニップル部２４ｃにはホース３を外嵌させ、ホース３には袋ナット２４ｅ及びつめ付きリング２４ｄを通し、袋ナット２４ｅを第二継手２４に螺合させ、つめ付きリング２４ｄをニップル部２４ｃに向けて締め付けることによりホース３と第二継手２４が接続される。なお、爪２４ｂは、基端で回動自在に軸支されており、先端が凹管部２４ａの中心軸に向けて進退自在に構成されている。
【００３３】
スライドリング３４は、内周面の一部が爪２４ｂの背面に当接するように構成されており、コイルスプリング３４ａによって第二継手２４先端方向へ付勢されている。なお、スライドリング３４は、コイルスプリング３４ａによって付勢されている状態で内周面の一部が爪２４ｂの背面に当接する。すなわち、図４に示されるように、凸管部１４ａと凹管部２４ａの嵌合により突条１４ｂに爪２４ｂが係止して第１継手１４と第二継手２４の接続をロックし、接続用管継手４がゴム管１ｄとホース３を接続している。
【００３４】
このロック状態は、図４中の矢印Ａ方向へ第一継手１４を、図４中の矢印Ｂ方向へスライドリング３４を引っ張ると、図５に示されるように、スライドリング３４がコイルスプリング３４ａの付勢に抗して摺動し、爪２４ｂがスライドリング３４内周面の当接から解放され、かつ突条１４ｂの周面をせり上がることにより、突条１４ｂ及び爪２４ｂの係止が解除される。すなわち、第一継手１４と第二継手２４の接続ロック状態が解除され、接続用継手４が二つに分離する。このように接続用管継手４を用いると、簡単な操作で仮設給水器具とホース３とを着脱できる。
【００３５】
以上の説明からわかるように、本実施の形態における仮設給水器具は、シンク縁部とシンク縁部から起立する水切り板の二箇所に吸盤５により着脱自在に仮固定される構成としたことから、水栓１が台所流しに対してしっかりと固定され、片手での横水栓１ａの開閉を行うことができ、また水栓１の落下を防止することができる。また、吸着によって設置面に対して着脱自在に接着する吸盤５を用いたことから、設置面を汚れたり、傷ついたりすることなく仮設給水器具を仮固定することができる。
【００３６】
また、本実施の形態における仮設給水器具は、合体、分離が容易な接続用管継手４によって水栓１とホース３を接続したことから、水栓１を移動する場合に、簡単にホース３を水栓１から外すことができ、また移動先で水栓１にホース３を簡単に接続できることから、水栓１の移動によるホース３のよじれもなくなり、ホース３が居住室の床から浮き上がることもなくなり、居住者がホース３に足を引っ掛ける事態もなくなる。また、水栓１とホース３の切り離しも簡単にできるので、水栓１を居住室に入れる際に、入り口ドアの郵便受けにホース３を通すことも容易となり、仮設給水器具の設置時間を大幅に短縮することができる。
【００３７】
また、本実施の形態における仮設給水器具は、六角錘形状の挿入部材２ａを、六角形状の挿入孔を有する接続パイプ２ｂに挿入することにより、水栓１と支持部２とを接続したことから、水栓１と支持部２を容易に接続することができ、また、横水栓１ａの開閉に伴う挿入部材２ａの回動が防止されることから、横水栓１ａの開閉をよりスムーズに行うことができる。
【００３８】
【発明の効果】
本発明は、底面と、この底面から起立する側面とを有する設置場所に対し着脱自在に仮固定される仮設給水器具であり、給水管に接続されるべき水栓と、この水栓を支持する支持部とを有し、支持部は、支持部の基端に設けられ設置場所の底面に対し着脱自在に接着する第一の接着部材と、支持部の側端に設けられ設置場所の側面に対し着脱自在に接着する第二の接着部材とを有することから、片手で容易に水栓を開閉でき、かつ所定の位置に容易に水栓を仮固定できる仮設給水器具を提供することができる。
【００３９】
また、本発明は、水栓が接続用管継手を介して給水管と接続され、接続用管継手は、外周面に係止部が設けられた凸管部を有する第一継手と、凸管部が嵌合し係止部に係止する進退自在な爪が周面に設けられた凹管部を有する第二継手と、筒状に形成され第二継手の外周面上を軸方向に沿って摺動自在に設けられ、摺動によって爪の背面に内周面が当接、離間するスライドリングとを有し、凸管部と凹管部の嵌合により係止部に爪が係止して第一継手と第二継手の接続をロックし、スライドリングの摺動により爪が係止部から離間自在となり第一継手と第二継手の接続ロックを解除する管継手であると、さらに、ホースのよじれが生じにくく、かつ容易に設置できる仮設給水器具を提供することができる。
【００４０】
また、本発明は、第一及び第二の接着部材が、フランジ部と、このフランジ部の表面に貼り付けられ前記底面または側面に接するシート状の弾性部材とを有し、弾性部材がその中央部に向けて窪んでいる吸盤や磁石であると、片手で容易に水栓を開閉でき、かつ所定の位置に容易に水栓を仮固定できる仮設給水器具を提供する上でより一層効果的である。
【図面の簡単な説明】
【図１】本発明の一実施の形態における仮設給水器具を示す概略図である。
【図２】図１中の吸盤５の要部の断面を示す要部断面図である。
【図３】図１中の接続用管継手４によるゴム管１ｄとホース３との接続状態を示すための接続用管継手４の分解図である。
【図４】図１中の接続用管継手４の接続状態を示す要部断面図である。
【図５】図１中の接続用管継手４の接続ロックを解除した状態を示す要部断面図である。
【符号の説明】
１  水栓
１ａ  横水栓
１ｂ  Ｔ字管継手
１ｃ  ねじ込み継手
１ｄ  ゴム管
１ｅ  ホースクランプ
２  支持部
２ａ  挿入部材
２ｂ  接続パイプ
２ｃ  支持パイプ
２ｄ  Ｔ字パイプ
３  ホース
４  接続用管継手
５  吸盤
５ａ  フランジ部
５ｂ  ゴムシート
１４  第一継手
１４ａ  凸管部
１４ｂ  突条
１４ｃ、２４ｃ  ニップル部
１４ｄ、２４ｄ  つめ付きリング
１４ｅ、２４ｅ  袋ナット
２４  第二継手
２４ａ  凹管部
２４ｂ  爪
３４  スライドリング
３４ａ  コイルスプリング
【図１】
0004554050.tif 000002
【図２】
0004554050.tif 000003
【図３】
0004554050.tif 000004
【図４】
0004554050.tif 000005
【図５】
0004554050.tif 000006